【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
画面の複数の分割領域に対応する複数の画像処理部を有する表示装置に画像を出力する画像出力装置であって、
ユーザ操作に応じて、前記表示装置に出力する画像の配置を設定する設定手段と、
前記設定手段により１つの分割領域内に配置された画像の種類数が、該分割領域に対応する画像処理部が並列に画質調整処理を実行可能な画像の種類数である最大調整数より多いか否かを判定し、判定結果に応じて、前記表示装置に出力する画像の表示サイズ、表示位置、または、その両方を変更する制御手段と、
を有することを特徴とする画像出力装置。
【請求項２】
前記制御手段は、１つの分割領域内に配置された画像の種類数が、該分割領域に対応する画像処理部の最大調整数より多いと判定した場合に、該分割領域内に表示する画像の種類数が前記最大調整数以下となるように、前記表示装置に出力する画像の表示サイズ、表示位置、または、その両方を変更する
ことを特徴とする請求項１に記載の画像出力装置。
【請求項３】
前記制御手段は、１つの分割領域内に配置された画像の種類数が、該分割領域に対応する画像処理部の最大調整数より多いと判定した場合に、第１の通知を行う
ことを特徴とする請求項１または２に記載の画像出力装置。
【請求項４】
前記設定手段は、ユーザ操作に応じて、前記表示装置に出力する画像を選択し、
前記制御手段は、前記設定手段で選択された画像の種類数が、前記複数の画像処理部に対応する複数の最大調整数の総和より多い場合に、第２の通知を行う
ことを特徴とする請求項１〜３のいずれか１項に記載の画像出力装置。
【請求項５】
前記制御手段は、１つの分割領域内に表示する複数の画像の組み合わせが、該分割領域に対応する画像処理部の並列に画質調整処理を実行可能な種類の組み合わせ以外である場合に、各分割領域内に表示する画像の組み合わせが、その分割領域に対応する画像処理部の並列に画質調整処理を実行可能な種類の組み合わせとなるように、前記表示装置に出力する画像の表示サイズ、表示位置、または、その両方を変更する
ことを特徴とする請求項１〜４のいずれか１項に記載の画像出力装置。
【請求項６】
前記制御手段は、前記設定手段で選択された画像の種類と、各画像処理部の並列に画質調整処理を実行可能な種類の組み合わせとを比較して、前記設定手段で選択された画像の種類数が、前記表示装置の最大調整数より多いか否かを判断し、前記設定手段で選択された画像の種類数が、前記表示装置の最大調整数より多い場合に、前記第２の通知を行う
ことを特徴とする請求項４に記載の画像出力装置。
【請求項７】
前記表示装置から、該表示装置の最大調整数を含む画質調整能力情報を取得する取得手段を更に有する
ことを特徴とする請求項１〜６のいずれか１項に記載の画像出力装置。
【請求項８】
前記表示装置から、各分割領域を表す情報と、各画像処理部の最大調整数とを含む画質調整能力情報を取得する取得手段を更に有する
ことを特徴とする請求項１〜６のいずれか１項に記載の画像出力装置。
【請求項９】
前記表示装置から、各分割領域を表す情報と、各画像処理部の並列に画質調整処理を実行可能な種類の組み合わせを表す情報とを含む画質調整能力情報を取得する取得手段を更に有する
ことを特徴とする請求項５または６に記載の画像出力装置。
【請求項１０】
表示部に画像を出力する画像出力装置であって、
画面の複数の分割領域に対応する複数の画像処理部と、
ユーザ操作に応じて、前記表示部に出力する画像の配置を設定する設定手段と、
前記設定手段により１つの分割領域内に配置された画像の種類数が、該分割領域に対応する画像処理部が並列に画質調整処理を実行可能な画像の種類数である最大調整数より多いか否かを判定し、判定結果に応じて、前記表示部に出力する画像の表示サイズ、表示位置、または、その両方を変更する制御手段と、
を有することを特徴とする画像出力装置。
【請求項１１】
画面の複数の分割領域に対応する複数の画像処理部を有する表示装置に画像を出力する画像出力装置の制御方法であって、
ユーザ操作に応じて、前記表示装置に出力する画像の配置を設定する設定ステップと、
前記設定ステップにより１つの分割領域内に配置された画像の種類数が、該分割領域に対応する画像処理部が並列に画質調整処理を実行可能な画像の種類数である最大調整数より多いか否かを判定し、判定結果に応じて、前記表示装置に出力する画像の表示サイズ、表示位置、または、その両方を変更する制御ステップと、
を有することを特徴とする画像出力装置の制御方法。
【請求項１２】
画面の複数の分割領域に対応する複数の画像処理部を有する画像出力装置の制御方法であって、
ユーザ操作に応じて、表示部に出力する画像の配置を設定する設定ステップと、
前記設定ステップにより１つの分割領域内に配置された画像の種類数が、該分割領域に対応する画像処理部が並列に画質調整処理を実行可能な画像の種類数である最大調整数より多いか否かを判定し、判定結果に応じて、前記表示部に出力する画像の表示サイズ、表示位置、または、その両方を変更する制御ステップと、
を有することを特徴とする画像出力装置の制御方法。
【請求項１３】
請求項１１または請求項１２に記載の画像出力装置の制御方法の各ステップをコンピュータに実行させるためのプログラム。
【手続補正２】
【補正対象書類名】明細書
【補正対象項目名】０００９
【補正方法】変更
【補正の内容】
【０００９】
本発明の第１の態様は、
画面の複数の分割領域に対応する複数の画像処理部を有する表示装置に画像を出力する画像出力装置であって、
ユーザ操作に応じて、前記表示装置に出力する画像の配置を設定する設定手段と、
前記設定手段により１つの分割領域内に配置された画像の種類数が、該分割領域に対応する画像処理部が並列に画質調整処理を実行可能な画像の種類数である最大調整数より多いか否かを判定し、判定結果に応じて、前記表示装置に出力する画像の表示サイズ、表示位置、または、その両方を変更する制御手段と、
を有することを特徴とする画像出力装置
である。
【手続補正３】
【補正対象書類名】明細書
【補正対象項目名】００１０
【補正方法】変更
【補正の内容】
【００１０】
本発明の第２の態様は、
表示部に画像を出力する画像出力装置であって、
画面の複数の分割領域に対応する複数の画像処理部と、
ユーザ操作に応じて、前記表示部に出力する画像の配置を設定する設定手段と、
前記設定手段により１つの分割領域内に配置された画像の種類数が、該分割領域に対応する画像処理部が並列に画質調整処理を実行可能な画像の種類数である最大調整数より多いか否かを判定し、判定結果に応じて、前記表示部に出力する画像の表示サイズ、表示位置、または、その両方を変更する制御手段と、
を有することを特徴とする画像出力装置
である。
【手続補正４】
【補正対象書類名】明細書
【補正対象項目名】００１１
【補正方法】変更
【補正の内容】
【００１１】
本発明の第３の態様は、
画面の複数の分割領域に対応する複数の画像処理部を有する表示装置に画像を出力する画像出力装置の制御方法であって、
ユーザ操作に応じて、前記表示装置に出力する画像の配置を設定する設定ステップと、
前記設定ステップにより１つの分割領域内に配置された画像の種類数が、該分割領域に対応する画像処理部が並列に画質調整処理を実行可能な画像の種類数である最大調整数より多いか否かを判定し、判定結果に応じて、前記表示装置に出力する画像の表示サイズ、
表示位置、または、その両方を変更する制御ステップと、
を有することを特徴とする画像出力装置の制御方法
である。
【手続補正５】
【補正対象書類名】明細書
【補正対象項目名】００１２
【補正方法】変更
【補正の内容】
【００１２】
本発明の第４の態様は、
画面の複数の分割領域に対応する複数の画像処理部を有する画像出力装置の制御方法であって、
ユーザ操作に応じて、表示部に出力する画像の配置を設定する設定ステップと、
前記設定ステップにより１つの分割領域内に配置された画像の種類数が、該分割領域に対応する画像処理部が並列に画質調整処理を実行可能な画像の種類数である最大調整数より多いか否かを判定し、判定結果に応じて、前記表示部に出力する画像の表示サイズ、表示位置、または、その両方を変更する制御ステップと、
を有することを特徴とする画像出力装置の制御方法
である。